(57)【特許請求の範囲】
【請求項１】
複数の放送内容と、前記放送内容を識別するための放送管理ＩＤ（IDentification）とを取得する親局制御装置と、複数の前記放送内容および前記放送管理ＩＤを送信する通信部とを有する親局装置と、
複数の前記放送内容および前記放送管理ＩＤを受信する通信部と、自局装置の属性を示す放送管理情報と前記放送管理ＩＤとに基づいて前記放送内容に優先度を設定し、前記優先度の最も高い前記放送内容だけを放送する子局制御装置とを有する子局装置と、を備える同報通信システム。
【請求項２】
前記子局装置は、設定された前記優先度に基づいて前記放送内容を報知する報知部を有する、請求項１に記載の同報通信システム。
【請求項３】
親局装置が、
複数の放送内容と、前記放送内容を識別するための放送管理ＩＤとを取得し、
複数の前記放送内容および前記放送管理ＩＤを送信し、
子局装置が、
複数の前記放送内容および前記放送管理ＩＤを受信し、
自局装置の属性を示す放送管理情報と前記放送管理ＩＤとに基づいて前記放送内容に優先度を設定し、
前記優先度の最も高い前記放送内容だけを放送する、
同報通信システムの制御方法。
【請求項４】
同報通信システムの子局装置であって、
親局装置が送信した、複数の放送内容と前記放送内容を識別する放送管理ＩＤとを受信する通信部と、自局装置の属性を示す放送管理情報と前記放送管理ＩＤとに基づいて前記放送内容に優先度を設定し、前記優先度の最も高い前記放送内容だけを放送する子局制御装置と、を備える子局装置。
【請求項５】
同報通信システムにおける子局装置の子局制御装置であって、
前記子局装置の属性を示す放送管理情報と親局装置から受信した複数の放送内容を識別する放送管理ＩＤとに基づいて、前記放送内容に優先度を設定し、前記優先度の最も高い前記放送内容だけを放送する子局制御装置。
【請求項６】
同報通信システムの親局装置であって、
複数の放送内容および前記放送内容を識別する放送管理ＩＤを取得する親局制御装置と、
自局装置の属性を示す放送管理情報と前記放送管理ＩＤとに基づいて前記放送内容に優先度を設定し、前記優先度の最も高い前記放送内容だけを放送する子局装置に対して、複数の前記放送内容および前記放送管理ＩＤを送信する通信部と、を備える親局装置。
【請求項７】
同報通信システムにおける親局装置の親局制御装置であって、
親局制御部を備え、
前記親局制御部は、
複数の放送内容および前記放送内容を識別する放送管理ＩＤを取得し、
自局装置の属性を示す放送管理情報と前記放送管理ＩＤとに基づいて前記放送内容に優先度を設定し、前記優先度の最も高い前記放送内容だけを放送する子局装置に対して、複数の前記放送内容および前記放送管理ＩＤを子局装置に送信するよう指示する、親局制御装置。
【発明の詳細な説明】
【技術分野】
【０００１】
本発明は、同報通信システムにおける同報通信の制御に関する。
【背景技術】
【０００２】
災害時、住民に対して迅速で正確な避難誘導を行うために、一括通報によって親局設備から複数の子局設備に対して、同時かつ広範囲に同一の内容を放送する同報通信システムが特許文献１および非特許文献１に記載されている。
【０００３】
また、特許文献２には、移動体通信システムにおいて、緊急情報とその対象となるエリア識別情報を移動局に通知し、移動局は、自局の位置情報が、受信したエリア識別情報と一致する場合、緊急情報に対応するアラームを出力することが記載されている。
【０００４】
この他、特許文献３のように、携帯電話端末に識別コードに対応した災害発生情報を予め記憶させておき、情報制御装置から携帯電話端末に識別コードを送信して、携帯電話端末の利用者に識別コードに対応した災害発生情報を通知する情報伝達システムもある。
【０００５】
また、情報配信の例として、特許文献４には、ユーザ端末からの要求数で順位付したコンテンツを、順位に従ってユーザ端末に一斉配信する情報配信システムが記載されている。
【先行技術文献】
【特許文献】
【０００６】
【特許文献１】特許第４７０４４４９号公報
【特許文献２】特開２００９−２５３８６８号公報
【特許文献３】特開２０１５−０２３５１７号公報
【特許文献４】特開２００２−３５３８８５号公報
【特許文献５】特開２０１５−０５６７４０号公報
【非特許文献】
【０００７】
【非特許文献１】市町村デジタル同報通信システム標準規格ＡＲＩＢ  ＳＴＤ−Ｔ８６  ３．０版（差替版）、社団法人電波産業会、平成１９年５月２９日発行
【発明の概要】
【発明が解決しようとする課題】
【０００８】
特許文献１、非特許文献１に記載された同報通信システムは、各子局設備に対して同一の内容を同時放送することができる。その反面、複数の放送内容を子局設備に対して同時放送する場合、その放送順序は必ずしも子局設備に適したものにはならない。例えば、親局設備が、複数の放送内容（複数の避難所の情報）を子局設備に一括通報する場合、その放送順序は、避難所の名称の五十音順となる、あるいは、行政に都合のよい順となる。このため、放送順序の遅い避難所の周辺に設置された子局設備では、避難所の情報の入手に時間がかかることになる。
【０００９】
このように、同報通信システムにおいて、親局装置から送信された複数の通報内容に対して、子局装置が、伝達する順序を変更することができる技術が望まれていた。
【００１０】
本発明の目的は、親局装置から送信された複数の通報内容に対して、子局装置が、複数の通報内容を伝達する順序を変更可能な同報通信システム等を提供することにある。
【課題を解決するための手段】
【００１１】
本発明の同報通信システムの一態様は、複数の通報内容および前記通報内容に関連する通報関連情報を取得する親局制御装置と、前記複数の通報内容および前記通報関連情報を送信する通信部とを有する親局装置と、前記複数の通報内容および前記通報関連情報を受信する通信部と、自局装置の属性を示す通報管理情報と前記通報関連情報とに基づいて前記通報内容に優先度を設定する子局制御装置とを有する子局装置と、を備える。
【００１２】
本発明の同報通信システムの制御方法の一態様は、親局装置が、複数の通報内容および前記通報内容に関連する通報関連情報を取得し、前記複数の通報内容および前記通報関連情報を送信し、子局装置が、前記複数の通報内容および前記通報関連情報を受信し、自局装置の属性を示す通報管理情報と前記通報関連情報とに基づいて前記通報内容に優先度を設定する。
【００１３】
本発明の同報通信システムにおける親局装置の親局制御装置の一態様であって、親局制御部を備え、前記親局制御部は、複数の通報内容および前記通報内容に関連する通報関連情報を取得し、自局装置の属性を示す通報管理情報と通報関連情報とに基づいて前記通報内容に優先度を設定する子局装置に対して、前記複数の通報内容および前記通報関連情報を子局装置への送信を指示する。
【００１４】
本発明の同報通信システムにおける子局装置の子局制御装置の一態様であって、前記子局装置の属性を示す通報管理情報と親局装置から受信した複数の通報内容に関連する通報関連情報とに基づいて、前記通報内容に優先度を設定する。
【発明の効果】
【００１５】
本発明は、同報通信システムにおいて、親局装置から送信された複数の通報内容に対して、子局装置が、伝達する順序を変更することができる。
【図面の簡単な説明】
【００１６】
【図１】第１の実施形態に係る同報通信システムの構成を示すブロック図である。
【図２】第１の実施形態における、通報内容に優先度を設定した例を示す第１のデータシートである。
【図３】第１の実施形態に係る同報通信システムの動作を示すフローチャートである。
【図４】第２の実施形態に係る同報通信システムの構成を示すブロック図である。
【図５】第２の実施形態における、放送内容と放送関連情報との対応を示す第２のデータシートである。
【図６】第２の実施形態に係る同報通信システムにおいて、放送内容に優先度を設定した一例を示す概要図である。
【図７】第２の実施形態に係る同報通信システムの動作を示すフローチャートである。
【図８】第２の実施形態に係る親局設備の動作を示すフローチャートである。
【図９】第２の実施形態に係る子局設備の動作を示すフローチャートである。
【図１０】第２の実施形態における各子局設備が放送内容に設定した優先度を示す説明図である。
【図１１】第３の実施形態に係る同報通信システムの構成を示すブロック図である。
【図１２】第４の実施形態に係る同報通信システムの構成を示すブロック図である。
【図１３】第５の実施形態に係る同報通信システムの構成を示すブロック図である。
【図１４】第６の実施形態における、放送内容と放送関連情報との対応を示す第３のデータシートである。
【図１５】第６の実施形態における、放送関連情報（範囲情報）に対応する放送内容を示す概要図である。
【図１６】第１〜６の実施形態における親局装置１０、子局装置２０等をコンピュータで実現したハードウエア構成を示すブロック図である。
【発明を実施するための形態】
【００１７】
（第１の実施形態）
同報通信システムは、親局装置と、子局装置とを備える。親局装置は、子局装置で伝達する複数の通報内容および通報内容に関連する通報関連情報を取得する親局制御装置と、通報内容および通報関連情報を送信する通信部と、を備える。子局装置は、複数の通報内容および通報関連情報を受信する通信部と、自局装置の属性を示す通報管理情報と通報関連情報とに基づいて通報内容に優先度を設定し、設定された優先度に基づいて通報内容を伝達する子局制御装置と、を備える。
【００１８】
第１の実施形態に係る同報通信システムについて、図面を用いて説明する。図１は、第１の実施形態に係る同報通信システムの構成を示すブロック図である。第１の実施形態の同報通信システムは、親局装置１０と、子局装置２０とを備える。
【００１９】
図１に示すように親局装置１０は、親局制御装置１１と、通信部１２とを備える。親局装置１０の親局制御装置１１は、複数の通報内容、及び、通報内容に関連する通報関連情報を取得する親局制御部１３を有する。通報内容と通報関連情報の取得には、外部から入力された各種情報に基づいて、親局制御装置１１の親局制御部１３が、通報内容、通報関連情報を生成すること、あるいは、外部から通報内容、通報関連情報を入手することが含まれる。
【００２０】
通報内容は、子局装置２０によって子局装置２０の周辺に伝達される内容である。通報内容の例は、防災放送における様々な指示、警報、注意報である。
【００２１】
通報関連情報は、通報内容に関連する情報であり、例えば、地理情報である。地理情報には、地区名又は地区の位置情報が含まれる。通報内容が、洪水警報と洪水注意報の場合、通報関連情報は、洪水警報、洪水注意報の対象となる場所の位置情報となる。
【００２２】
親局制御装置１１の親局制御部１３は、親局装置１０の通信部１２に対し、取得した複数の通報内容及び通報関連情報を子局装置２０に送信するよう指示する。
【００２３】
親局装置１０の通信部１２は、子局装置２０への通信形態を選択し、親局制御装置１１で取得された複数の通報内容及び通報関連情報を子局装置２０に送信する。通信形態には、同報送信、個別送信又はグループ送信が含まれ、他の通信形態が含まれてもよい。
【００２４】
次に、同報通信システムの子局装置２０の構成について説明する。子局装置２０は、子局制御装置２１と通信部２２とを備える。子局装置２０の通信部２２は、親局装置１０が送信した複数の通報内容及び通報関連情報を受信する。
【００２５】
子局装置２０の子局制御装置２１は、子局制御部２３を備える。子局制御部２３は、自局装置の属性を表す通報管理情報と、受信した通報関連情報とに基づいて、受信した通報内容に優先度を設定する。通報管理情報は、子局装置２０の記憶部（図示せず）に予め保持されているとする。なお、子局制御部２３が、通信部２２を介して通信管理情報を適宜取得してもよい。
【００２６】
通報管理情報は、子局装置２０の属性を表す情報であり、子局装置２０が受信した複数の通報内容に優先度を設定するための情報である。通報管理情報の一例は、子局装置２０の設置場所の地理情報である。地理情報には、子局装置２０が設置された位置情報（緯度・経度情報）、又は、設置された地区名が含まれる。
【００２７】
次に、子局装置２０が受信した通報内容に対する優先度の設定について、Ｘ地区に設置された子局装置２０の例を用いて説明する。図２は、第１の実施形態において、複数の通報内容に優先度を設定した例を示す第１のデータシートである。図２中、通報内容（通報Ａ、通報Ｂ、通報Ｃ）、及び、通報関連情報（通報に関連する地区名：Ｘ地区、Ｙ地区、Ｚ地区）は、Ｘ地区の子局装置２０が親局装置１０から受信した情報である。
【００２８】
Ｘ地区の子局装置２０の子局制御装置２１には、自局装置の属性を示す通報管理情報として「Ｘ地区」が記憶部（図示せず）に保持されているとする。子局制御装置２１の子局制御部２３は、自局装置の属性を示す通報管理情報（子局装置の設置地区名：Ｘ地区）と、受信した通報関連情報（通報Ａ、通報Ｂ、通報Ｃに関連する地区名：Ｘ地区、Ｙ地区、Ｚ地区）を比較する。子局制御部２３は、受信した通報関連情報（Ｘ地区、Ｙ地区、Ｚ地区）のうち、自局装置の通報管理情報（Ｘ地区）に対応する通報内容（通報Ａ）の優先度を「高」とする。さらに、子局制御部２３は、他の通報関連情報（Ｙ地区、Ｚ地区）に対応する通報内容（通報Ｂ、通報Ｃ）の優先度を通報Ａよりも低い「低」とする。
【００２９】
なお、子局制御装置２１の子局制御部２３による、通報内容への優先度の設定は、上述の設定以外でもよい。例えば、Ｘ地区からＹ地区間の距離の方がＸ地区からＺ地区間の距離よりも近い場合、Ｘ地区の子局装置２０の周辺住民は、Ｚ地区と関連する通報ＣよりもＹ地区と関連する通報Ｂの方が有益な可能性がある。この場合、子局制御装置２１の子局制御部２３は、地区間の距離情報を別途取得して受信した通報内容に優先度を設定してもよい。地区間の距離を踏まえた通報内容の優先度は、通報Ａが「高」、通報Ｂが「中」、通報Ｃが「低」と設定される。
【００３０】
続いて、子局装置２０の子局制御装置２１は、伝達部（図示せず）を介して、設定した優先度に基づいて通報内容を子局装置２０の周辺に伝達する。伝達部の一例は、スピーカである。子局制御装置２１による優先度に基づいた通報内容の伝達には、例えば、通報内容を優先度の高い順に伝達する、又は、優先度の最も高い通報内容を伝達するが含まれる。
【００３１】
次に、第１の実施形態に係る同報通信システムの動作について説明する。図３は、第１の実施形態に係る同報通信システムの動作を示すフローチャートである。図３に示すように、親局制御装置１１の親局制御部１３は、複数の通報内容、及び、通報関連情報を取得する（ステップＳ１１）。また、親局制御装置１１の親局制御部１３は、通信部１２に複数の通報内容、及び、通報関連情報の送信を指示する。
【００３２】
親局装置１０の通信部１２は、通信形態を選択し、親局制御装置１１で取得した複数の通報内容及び通報関連情報を子局装置２０に送信する（ステップＳ１２）。
【００３３】
次に、子局装置２０の通信部２２は、複数の通報内容及び通報関連情報を受信する（ステップＳ２１）。子局装置２０の子局制御装置２１（具体的には子局制御部２３）は、自局装置の属性を表す通報管理情報と、受信した通報関連情報とに基づいて、受信した通報内容に優先度を設定する（ステップＳ２２）。子局制御装置２１は、設定した優先度に基づいて、受信した通報内容を伝達する。
【００３４】
（第１の実施形態の変形例）
第１の実施形態の説明において、１つの子局装置２０の例を用いて説明したが、複数の子局装置２０であっても適用可能である。複数の子局装置２０の場合、同じ通報管理情報が異なる子局装置２０に保持されていてもよい。例えば、Ｘ地区に２台の子局装置２０が設置されている場合、２台の子局装置２０の通報管理情報は、同じ地区名（Ｘ地区）となる。この場合、２台の子局装置２０は、同じ通報内容を周辺に伝達することになる。
【００３５】
第１の実施形態も説明において、親局装置１０から子局装置２０に通報内容及び通報関連情報を送信する例で説明したが、親局装置１０と子局装置２０の間に中継局を介在させてもよい。
【００３６】
第１の実施形態の子局装置２０は、拡声器を備えた屋外型、あるいは、戸別受信機のような戸別型に適用することができる。
【００３７】
第１の実施形態の親局装置１０と子局装置２０との通信は、無線の他に有線でも適用できる。通報には、音声放送、サイレン放送、データ放送（文字又は画像等を含む）、又は、テスト放送が含まれる。
【００３８】
（第１の実施形態の効果）
第１の実施形態によれば、親局装置から送信された複数の通報内容に対して、子局装置が、伝達する順序を変更することができる。その理由は、子局制御装置２１の子局制御部２３が、自局装置の属性を表す通報管理情報と、受信した通報関連情報とに基づいて、受信した通報内容に優先度を設定するからである。
【００３９】
これにより、同報通信システムの親局装置１０から送信された通報内容のうち、子局装置２０の属性に応じた通報内容を子局装置２０の周辺に伝達することが可能となる。例えば、各子局装置２０（Ｘ地区設置、Ｙ地区設置、Ｚ地区設置）は、親局装置１０から送信された通報内容（通報Ａ、通報Ｂおよび通報Ｃ）に対して、各子局装置２０が設置された地区に応じた通報内容を優先して伝達することができる。
【００４０】
（第２の実施形態）
第２の実施形態に係る同報通信システムについて、図面を用いて説明する。図４は、第２の実施形態に係る同報通信システムの構成を示すブロック図である。第２の実施形態の同報通信システムは、親局設備１００と、子局設備２００とを備える。
【００４１】
なお、第２の実施形態の親局設備１００は、第１の実施形態の親局装置１０に相当する。また、第２実施形態の親局設備１００の操作卓１０３、無線装置１０２は、第１の実施形態の親局装置１０の親局制御装置１１、通信部１２にそれぞれ相当する。第２の実施形態の操作卓１０３の制御部１０５及び演算部１０６は、第１の実施形態の親局制御装置１１の親局制御部１３に相当する。
【００４２】
また、第２の実施形態の子局設備２００は、第１の実施形態の子局装置２０に相当する。第２の実施形態の子局設備２００の管理部２０５及び演算部２０６は、第１の実施形態の子局制御装置２１の子局制御部２３に相当する。第２の実施形態の子局設備２００の通信部２０２は、第１の実施形態の子局装置２０の通信部２２に相当する。
【００４３】
はじめに、第２の実施形態に係る同報通信システムの親局設備１００の構成について詳細に説明する。図４に示すように、親局設備１００は、無線アンテナ１０１に接続された無線装置１０２と、操作卓１０３とを備える。
【００４４】
操作卓１０３は、同報通信システムを運用する機能を有し、住居地区に設置された子局設備２００向けの放送を制御する。操作卓１０３は、記憶部１０４、制御部１０５、演算部１０６、Ｉ／Ｆ（インターフェース）部１０７を備える。
【００４５】
操作卓１０３のＩ／Ｆ部１０７は、各種情報を入力する機能を有する。Ｉ／Ｆ部１０７の一例は、キーボード又はタッチパネルである。
【００４６】
操作卓１０３の記憶部１０４は、操作卓１０３の運用に用いるデータを保存する機能を有する。記憶部１０４には、Ｉ／Ｆ部１０７又は無線装置１０２を介して入力されたデータ、又は、親局設備１００で生成された情報が保存される。記憶部１０４には、親局設備１００が子局設備２００に送信する、複数の放送内容、又は、放送関連情報（放送内容に関連する情報）が保存されてもよい。放送関連情報の一例は、位置情報であり、例えば、避難所Ｘ、避難所Ｙ、避難所Ｚの緯度・経度情報である。
【００４７】
操作卓１０３の演算部１０６は、子局設備２００で放送する複数の放送内容を取得する機能を有する。演算部１０６は、例えば、Ｉ／Ｆ部１０７からの各種情報に基づいて、複数の放送内容を生成する。放送内容の一例は、避難所Ｘに関する放送（以下、放送Ａと示す）、避難所Ｙに関する放送（以下、放送Ｂと示す）、避難所Ｚに関する放送（以下、放送Ｃと示す）である。なお、第２の実施形態の放送内容は、第１の実施形態の通報内容に相当する。
【００４８】
更に、演算部１０６は、Ｉ／Ｆ部１０７からの各種情報に基づいて、放送関連情報を生成する。第２の実施形態の放送関連情報は、第１の実施形態の通報関連情報に相当する。放送関連情報は、例えば、放送Ａ、放送Ｂ、又は、放送Ｃに関連する位置情報である。
【００４９】
図５は、第２の実施形態における、放送内容と放送関連情報（放送内容に関連する位置情報）との対応を示す第２のデータシートである。図５に示すように、演算部１０６は、放送Ａに関連する位置情報として避難所Ｘの緯度・経度情報を生成する。同様に放送Ｂに関連する位置情報として避難所Ｙの緯度・経度情報を生成し、放送Ｃに関連する位置情報として避難所Ｚの緯度・経度情報を生成する。
【００５０】
操作卓１０３の制御部１０５は、複数の放送内容と放送関連情報を無線装置１０２に送り、子局設備２００への送信を指示する。具体的には、制御部１０５は、放送内容（放送Ａ、放送Ｂ、放送Ｃ）と、放送内容に関連する位置情報（避難所Ｘ、避難所Ｙ、避難所Ｚの緯度・経度情報）を無線装置１０２に送り、無線装置１０２に対して子局設備２００への一括通報の実施を指示する。無線装置１０２は、無線アンテナ１０１を介して、一括通報で子局設備２００を呼び出し、放送内容（放送Ａ、放送Ｂ、放送Ｃ）と、放送関連情報を送信する。
【００５１】
次に、子局設備２００の構成について図４を用いて説明する。図４に示すように、子局設備２００は、無線アンテナ２０１、通信部２０２、スピーカ２０３、記憶部２０４、管理部２０５、演算部２０６、ＧＰＳ部２０７を備える。
【００５２】
子局設備２００の通信部２０２は、無線アンテナ２０１を介して親局設備１００からの一括通報の呼び出しを受け、放送内容（放送Ａ、放送Ｂ、放送Ｃ）と、放送関連情報（放送内容に関連する位置情報）を受信する。
【００５３】
子局設備２００の記憶部２０４は、通信部２０２が受信した放送内容（放送Ａ、放送Ｂ、放送Ｃ）と、放送関連情報（放送内容に関連する位置情報）を保存する。
【００５４】
子局設備２００の演算部２０６は、子局設備２００の属性を示す放送管理情報として、ＧＰＳ部２０７を用いて自局設備の位置情報を取得する。続いて、演算部２０６は、放送管理情報（自局装置の位置情報）と受信した放送関連情報（放送内容に関連する位置情報）に基づいて、受信した放送内容（放送Ａ、放送Ｂ、放送Ｃ）に優先度を設定する。図６は、第２の実施形態における放送内容に優先度を設定した一例を示す概要図である。子局設備２００の演算部２０６は、放送Ａ、放送Ｂ、又は、放送Ｃに関連する位置情報（避難所Ｘ、Ｙ、Ｚの緯度・経度情報）で示される位置が、子局設備の位置から近い順に、放送内容（放送Ａ、放送Ｂ、放送Ｃ）の優先度を高く設定する。なお、各避難所と子局設備２００との距離は、それぞれの緯度・経度情報から算出することができる。
【００５５】
子局設備２００の管理部２０５は、通信部２０２で受信した放送内容（放送Ａ、放送Ｂ、放送Ｃ）のうち、演算部２０６で設定された優先度に応じて放送内容をスピーカ２０３から拡声放送する。具体的には、管理部２０５は、優先度の高い順に放送内容をスピーカ２０３から拡声放送する。
【００５６】
次に第２の実施形態に係る同報通信システムの動作について説明する。図７は、第２の実施形態に係る同報通信システムの動作を示すフローチャートである。
【００５７】
同報通信システムの親局設備１００は、放送内容と、放送関連情報（放送内容に関連する位置情報）とを取得する（ステップＳ１０１）。次に、親局設備１００は、一括通報で子局設備２００を呼び出し、取得した放送内容、及び、放送関連情報を子局設備２００に送信する（ステップＳ１０２）。続いて、同報通信システムの子局設備２００は、放送管理情報（自局設備の位置情報）と受信した放送関連情報（放送内容に関連する位置情報）に基づいて、受信した放送内容に優先度を設定する（ステップＳ２０１）。さらに子局設備２００は、設定された優先度に応じて放送内容を拡声放送する。（ステップＳ２０２）。
【００５８】
以下、親局設備１００の動作、子局設備２００の動作をより詳細に説明する。図８は、第２の実施形態に係る親局設備の動作を示すフローチャートである。はじめに、操作卓１０３の演算部１０６は、親局設備１００のＩ／Ｆ部１０７から入力された各種情報を用いて放送内容を生成し（ステップＳ１０１）、記憶部１０４に保存する。放送内容は、例えば、避難所Ｘに関する放送Ａ、避難所Ｙに関する放送Ｂ、避難所Ｚに関する放送Ｃである。
【００５９】
次に、操作卓１０３の演算部１０６は、放送内容（放送Ａ、放送Ｂ、放送Ｃ）と、避難所Ｘ、避難所Ｙ、避難所Ｚの緯度・経度情報とを用いて、放送関連情報（放送内容に関連する位置情報）を生成する（ステップＳ１０２）。具体的には、演算部１０６は、放送Ａに関連する位置情報として避難所Ｘの緯度・経度情報を生成する。同様に放送Ｂに関連する位置情報として避難所Ｙの緯度・経度情報を生成し、放送Ｃに関連する位置情報として避難所Ｚの緯度・経度情報を生成する。
【００６０】
そして操作卓１０３の制御部１０５は、放送内容（放送Ａ、放送Ｂ、放送Ｃ）と放送関連情報を親局設備１００の無線装置１０２に送り、無線装置１０２に対して一括通報の実施を指示する（ステップＳ１０３）。
【００６１】
無線装置１０２は、無線アンテナ１０１を介して、子局設備２００に対して一括通報の呼び出しを行い、放送内容（放送Ａ、放送Ｂ、放送Ｃ）と放送関連情報（放送内容に関連する位置情報）を子局設備２００に対して送信する（ステップＳ１０４）。
【００６２】
図９は、第２の実施形態に係る子局設備の動作を示すフローチャートである。子局設備２００の通信部２０２は、無線アンテナ２０１を介して一括通報の呼び出しを受け（ステップＳ２１１）、放送内容及び放送関連情報を受信し（ステップＳ２１２）、記憶部２０４に保存する。
【００６３】
子局設備２００のＧＰＳ部２０７は、自局設備の位置情報を取得する（ステップＳ２１３）。なお、ＧＰＳ部２０７による位置情報の取得は予め実施しておき、位置情報を子局設備２００の記憶部２０４に保存してもよい。
【００６４】
次に、子局設備２００の演算部２０６は、子局設備２００の位置と、放送関連情報（放送内容に関連する位置情報）の位置に基づいて、受信した放送内容に優先度を設定する（ステップＳ２１４）。演算部２０６による放送内容の優先度の設定は、例えば、放送関連情報の位置が、子局設備２００の位置に近い順から、放送内容の優先度を高く設定する。
【００６５】
子局設備２００の管理部２０５は、演算部２０６が設定した優先度に基づいて放送内容を放送する（ステップＳ２１５）。具体的には、管理部２０５は、設定された放送内容の優先度の高い順に放送内容をスピーカ２０３で拡声放送する。
【００６６】
（第２の実施形態の変形例）
ＧＰＳ部２０７での位置情報の取得は予め実施しておき、位置情報を子局設備２００の記憶部２０４に保存しておいてもよい。
【００６７】
（第２の実施形態の効果）
第２の実施形態によれば、親局設備から送信された複数の放送内容に対して、子局設備が、放送する順序を変更することができる。その理由は、親局設備１００が、複数の放送内容と放送内容情報を子局設備２００に送信し、子局設備２００が、自局設備の属性を示す放送管理情報、及び、放送内容に関連する放送関連情報に基づいて、受信した放送内容に優先度を設定するからである。
【００６８】
例えば、第２の実施形態の同報通信システムによれば、親局設備が複数の避難所の放送内容を子局設備に送信した場合、子局設備は、自局に近い避難所の順に放送内容に優先度を設定することができる。これにより、子局設備の拡声放送を聞く住民は、当該子局設備に近い避難所の放送内容を優先して聞くことができる。
【００６９】
（第３の実施形態）
次に第３の実施形態に係る同報通信システムについて図面を用いて説明する。図１１は、第３の実施形態に係る同報通信システムの構成を示すブロック図である。図１１に示すように、第３の実施形態に係る同報通信システムは、親局設備１００と、子局設備２２０とを備える。第３の実施形態の親局設備１００は、第２の実施形態の親局設備１００と同様の構成である。また、第３の実施形態の子局設備２２０は、第２の実施形態の子局設備２００の構成からＧＰＳ部２０７を除いた構成を採用する。
【００７０】
第３の実施形態の子局設備２２０は、記憶部２０４に予め自局設備（子局設備２２０）の位置情報を保存している。第３の実施形態の子局設備２２０の演算部２０６は、記憶部２０４に予め保存された自局設備の位置情報を利用して、子局設備２２０が受信した放送内容に優先度を設定する。
【００７１】
なお、以後に説明する第４〜第６の実施形態に係る同報通信システムにおいても、第３の実施形態と同様に子局設備からＧＰＳ部を省いた構成を採用することができる。
【００７２】
（第３の実施形態の効果）
第３の実施形態によれば、第２の実施形態と同様に、親局設備から送信された複数の放送内容に対して、子局設備が、放送する順序を変更することができる。さらに、第３の実施形態に同報通信システムによれば、子局設備２２０が、ＧＰＳ部２０７を省き、子局設備２２０の位置情報を予め保持する構成を採用している。これにより、第３の実施形態の子局設備２２０は、第２の実施形態の子局設備２００と比べて省電力化又は低価格化を図ることができる。
【００７３】
（第４の実施形態）
次に第４の実施形態に係る同報通信システムについて図面を用いて説明する。図１２は、第４の実施形態に係る同報通信システムの構成を示すブロック図である。図１２に示すように、第４の実施形態に係る同報通信システムは、親局設備１００と、子局設備２４０とを備える。第４の実施形態の子局設備２４０の構成は、第２の実施形態の子局設備２００の構成と比べて、ＵＩ（ユーザインターフェイス）部２０８が追加されている点で相違する。ＵＩ部は、報知部ともいう。
【００７４】
なお、第４の実施形態の親局設備１００は、第２の実施形態の親局設備１００と同様の構成であり詳細な説明は省略する。また、第４の実施形態の子局設備２４０は、ＵＩ部２０８以外は第２の実施形態の子局設備２００と同様の構成のため詳細な説明は省略する。
【００７５】
第４の実施形態の子局設備２４０のＵＩ部２０８は、子局設備２４０が操作卓１０３から受信した放送内容を報知する機能を有する。ＵＩ部２０８による報知の一例は、文字表示である。ＵＩ部２０８で表示する放送内容の文字情報は、親局設備１００が放送内容に含めて子局設備２４０に送信する。子局設備２４０の演算部２０６は、設定された優先度に応じて放送内容をスピーカ２０３から拡声放送するとともに、ＵＩ部２０８で放送内容の文字情報を表示する。
【００７６】
（第４の実施形態の変形例）
なお、第４の実施形態の説明では、子局設備２４０が、ＵＩ部２０８とスピーカ２０３とを備える構成の例を用いて説明したが、これに限られない。例えば、ＵＩ部２０８がスピーカ機能を有し、子局設備からスピーカ２０３が省略された構成であってもよい。この場合、ＵＩ部２０８から放送内容が拡声放送され、かつ、放送内容の文字が表示される。
【００７７】
また、ＵＩ部２０８の報知機能として、文字の表示の例を用いて説明したが、これに限らない。例えば、文字表示の他に、画像、点字、音、光、熱、又は、振動等による報知機器を用いて放送内容を子局設備２４０の周辺の住民に報知してもよい。この場合、放送内容に対応する画像、点字、音、光、熱、又は、振動の情報が、放送内容に含まれて親局設備１００から子局設備２４０に送信される。
【００７８】
（第４の実施形態の効果）
第４の実施形態の同報通信システムによれば、子局設備２４０が報知機能を有するＵＩ部２０８を備えることにより、子局設備２４０は、拡声放送を聴取できない住民に対して文字表示、又は、その他の報知手法によって放送内容を報知することができる。
【００７９】
（第５の実施形態）
次に第５の実施形態に係る同報通信システムについて図面を用いて説明する。図１３は、第５の実施形態に係る同報通信システムの構成を示すブロック図である。図１３に示すように、第５の実施形態に係る同報通信システムは、親局設備１００と、子局設備２５０と、情報端末３００とを備える。
【００８０】
第５の実施形態に係る同報通信システムは、子局設備２５０が、第４の実施形態の子局設備２４０からＵＩ部２０８を分離した構成を採用し、情報端末３００は、子局設備２５０から分離されたＵＩ部２０８の報知機能を備える構成を採用している。なお、第５の実施形態の親局設備１００は、第２の実施形態の親局設備１００と同様の構成であり詳細な説明は省略する。
【００８１】
図１３に示す子局設備２５０は、親局設備１００の操作卓１０３から送信された放送内容と放送関連情報を受信する。子局設備２５０の演算部２０６は、放送管理情報（自局の位置情報）と放送関連情報（放送内容と関連する位置情報）に基づいて、受信した放送内容に優先度を設定する。そして、子局設備２５０の管理部２０５は、放送内容と設定した優先度を情報端末３００に送信するように通信部２０２に指示する。情報端末３００は、子局設備２５０から受信した放送内容を、子局設備２５０から受信した放送内容の優先度に基づいて、ＵＩ部２０８から音声放送、文字表示、その他の報知手法によって住民に提供する。情報端末３００は、一又は複数台存在してもよい。情報端末３００は、例えば、大型スクリーンの他、タブレット端末やスマートフォン端末などである。
【００８２】
（第５の実施形態の変形例）
なお、図１３が示す第５の実施形態の子局設備２５０の構成は、スピーカ２０３が設置された例を用いて説明したが、これに限られない。子局設備２５０からスピーカ２０３を省略した構成を採用してもよい。
【００８３】
また、子局設備２５０と情報端末３００との間の通信は、無線又は有線のいずれでもよい。
【００８４】
（第５の実施形態の効果）
第５の実施形態によれば、同報通信システムは、子局設備を目視できない住民、あるいは、子局設備からの拡声放送を聴き取れない住民に対して、情報端末によって放送内容を提供することができる。
【００８５】
（第６の実施形態）
第６の実施形態は、同報通信システムを津波警報発令時の防災放送に適用した例である。第６の実施形態に係る同報通信システムについて、図４に示す第２の実施形態の同報通信システムの構成を用いて説明する。第６の実施形態の同報通信システムは、親局設備１００は、複数の子局設備２００に対して、放送内容を送信する例である。
【００８６】
第６の実施形態において、同報通信システムの親局設備１００が放送する放送内容は、避難指示放送、外出自粛要請放送、避難所開設放送とする。避難指示放送とは、津波到達が予測される沿岸部の住民に対し避難を指示する放送である。外出自粛要請放送とは、津波到達予測範囲外の内陸部又は平野部のうち、沿岸部からの避難が想定される範囲に対する住民に対し車での外出自粛を要請する放送である。避難所開設放送とは、津波の到達及び沿岸部からの避難が想定されない山間部の住民を対象とした避難所の開設場所に関する放送である。
【００８７】
親局設備１００の操作卓１０３は、Ｉ／Ｆ部１０７から入力された津波予測情報に基づいて、放送内容（避難指示放送、外出自粛要請放送、避難所開設放送）を取得して記憶部１０４に保存する。津波予測情報は、操作卓１０３のＩ／Ｆ部１０７から入力される以外に、行政及び民間団体が作成するハザードマップ等が無線装置１０２を介して入力され、操作卓１０３の記憶部１０４に予め保存されてもよい。
【００８８】
津波予測情報には、津波到達予測範囲、避難者移動範囲、津波想定外範囲が含まれる。津波到達予測範囲の一例は、津波到達が予測される沿岸部を示す位置情報（緯度・経度情報）である。避難者移動範囲の一例は、津波到達予測範囲外で、沿岸部からの避難が想定される中間部を示す位置情報（緯度・経度情報）である。中間部とは、内陸部・平野部である。津波想定外範囲の一例は、津波が到達せず、沿岸部からの避難も想定されない山間部の位置情報（緯度・経度情報）である。
【００８９】
次に、操作卓１０３の演算部１０６は、記憶部１０４に保存された、放送内容（避難指示放送、外出自粛要請放送、避難所開設放送）と、津波予測情報（津波予測範囲、避難者移動範囲、津波想定外範囲）とを用いて、放送関連情報（範囲情報）を取得する。具体的には、演算部１０６は、避難指示放送に関連する津波到達予測範囲を生成する。同様に、外出自粛要請放送に関連する避難者移動範囲を生成する。そして避難所開設放送に関連する津波想定外範囲を生成する。図１４は、放送内容と放送関連情報（範囲情報）との対応を示す第３のデータシートである。
【００９０】
次に、操作卓１０３の制御部１０５は、放送内容と放送関連情報（範囲情報）を無線装置１０２に送り、津波予測情報に含まれる子局設備２００を対象とした一括通報を無線装置１０２に指示する。
【００９１】
親局設備１００の無線装置１０２は、津波予測範囲（津波到達予測範囲、避難者移動範囲、津波想定外範囲）に含まれる子局設備２００に対して一括通報の呼び出しを行い、放送内容と放送関連情報（範囲情報）を子局設備２００に対して送信する。
【００９２】
各子局設備２００の通信部２０２は、無線アンテナを介して通報の呼び出しを受付ける。通信部２０２は、受付けた放送内容と放送関連情報（範囲情報）を記憶部２０４に保存する。
【００９３】
各子局設備２００の演算部２０６は、子局設備２００の属性を示す放送管理情報として、ＧＰＳ部２０７を用いて自局設備の位置情報を取得する。演算部２０６は、放送管理情報（自局設備の位置情報）と放送関連情報（範囲情報）に基づいて、受信した放送内容（避難指示放送、外出自粛要請放送、避難所開設放送）に優先度を設定する。具体的には、各子局設備２００の演算部２０６は、自局設備の位置を内包する放送関連情報（範囲情報）に対応する放送内容（避難指示放送、外出自粛要請放送、避難所開設放送）に最も高い優先度を設定する。
【００９４】
子局設備２００の管理部２０５は、通信部２０２で受信した放送内容（避難指示放送、外出自粛要請放送、避難所開設放送）のうち、演算部２０６で設定された優先度の最も高い放送内容についてスピーカ２０３から拡声放送する。なお、管理部２０５は、優先度の最も高い放送内容以外は、拡声放送しない。
【００９５】
図１５は、第６の実施形態における放送関連情報（範囲情報）とその範囲に対応する放送内容を示す概要図である。図１５に示すように、第６の実施形態の同報通信システムは、親局設備１００が送信した放送内容（避難指示放送、外出自粛要請放送、避難所開設放送）に対して、各子局設備２００は、自局設備の属性（自局装置の位置情報）に応じた最も優先度の高い放送内容を、子局設備２００の周辺の住民に放送することができる。
【００９６】
（第６の実施形態の変形例）
ＧＰＳ部２０７での位置情報の取得は予め実施しておき、自局設備の位置情報を子局設備２００の記憶部２０４に保存しておいてもよい。
【００９７】
第６の実施形態において、親局設備１００の操作卓１０３は、Ｉ／Ｆ部１０７から入力された情報に基づいて、放送内容として避難指示放送、外出自粛要請放送、避難所開設放送を取得する例で説明したが、これに限られない。例えば、取得される放送内容は、避難指示放送、外出自粛要請放送の２つであってもよく、あるいは、別の放送内容であってもよい。
【００９８】
（第６の実施形態の効果）
第６の実施形態によれば、親局設備から送信された複数の放送内容に対して、子局設備が、放送する順序を変更し、放送内容に最も高い優先度を設定することができる。その理由は、親局設備１００が、放送内容と放送内容情報を子局設備２００に送信し、子局設備２００は、自局設備の属性を示す放送管理情報、及び、放送内容に関連する放送関連情報とに基づいて、受信した放送内容に放送管理情報（子局設備の属性）に応じた優先度を設定するからである。これにより、親局設備から送信された複数の放送内容のうち、子局設備は、優先度の最も高い放送内容だけを放送することもできる。
【００９９】
（各実施形態における変形例）
第２〜第６の実施形態において、子局設備２００、２２０、２４０、２５０の例として、同報通信システムにおける屋外型の子局設備を用いて説明したが、これに限られない。子局設備は、戸別受信機のような戸別型であってもよく、可搬型であってもよい。
【０１００】
また、子局設備２００、２２０、２４０、２５０の記憶部２０４、管理部２０５、又は、演算部２０６の機能の一部を、子局設備２００、２２０、２４０、２５０に付随する他装置が受け持つ構成としてもよい。この場合、子局設備２００、２２０、２４０、２５０にかかる処理の負荷を低減することが可能となる。
【０１０１】
上述の第２〜第６の実施形態に係る同報通信システムにおいて、放送関連情報として、緯度・経度を含む位置情報を用いて説明したが、これに限られるものではない。
【０１０２】
なお、同報通信システムにおいて、放送内容を識別するための放送管理ＩＤ（Ｉｄｅｎｔｉｆｉｃａｔｉｏｎ）を用いて、複数の放送内容に優先度を設定することも可能である。この場合、放送管理ＩＤが、放送関連情報として用いられる。また、子局設備は、自局設備の属性を示す放送管理情報として、放送内容の優先度と放送管理ＩＤとが紐づけされた情報を保持しているとする。
【０１０３】
親局設備の操作卓は、複数の放送内容、及び、対応する放送管理ＩＤを取得し、無線装置から子局設備に送信させる。子局設備は、自局設備の放送管理情報（放送内容の優先度と放送管理ＩＤとが紐付けされた情報）と、受信した放送管理ＩＤとに基づいて、受信した放送内容に優先度を設定する。
【０１０４】
放送管理ＩＤは、放送内容を識別するＩＤのため、異なる放送内容に対して同じ放送管理ＩＤは付与されない。異なる子局設備間で同じ放送管理ＩＤが保持されてもよい。また、異なる子局設備間で、放送管理ＩＤと優先度との紐付けを示す情報が同じであってもよい。
【０１０５】
（ハードウエア構成）
図１６は、第１〜６の実施形態における親局設備、子局設備、情報端末をコンピュータ装置で実現したハードウエア構成を示す図である。
【０１０６】
第１〜第６の実施形態において、親局設備１００、子局設備２００、２２０、２４０、２５０、情報端末３００の各構成要素は、機能単位のブロックを示している。親局設備１００、子局設備２００、２２０、２４０、２５０、情報端末３００の各構成要素の一部又は全部は、例えば、図１６に示すようなコンピュータ６００とプログラムとの任意の組み合わせにより実現される。コンピュータ６００は、一例として、以下のような構成を含む。
ＣＰＵ（Ｃｅｎｔｒａｌ  Ｐｒｏｃｅｓｓｉｎｇ  Ｕｎｉｔ）６０１、
ＲＯＭ（Ｒｅａｄ  Ｏｎｌｙ  Ｍｅｍｏｒｙ）６０２、
ＲＡＭ（Ｒａｍｄｏｍ  Ａｃｃｅｓｓ  Ｍｅｍｏｒｙ）６０３、
ＲＡＭ６０３にロードされるプログラム６０４、
プログラム６０４を格納する記憶装置６０５、
記録媒体６０６の読み書きを行うドライブ装置６０７、
通信ネットワーク６０９と接続する通信インターフェース６０８、
データの入出力を行う入出力インターフェース６１０、
各構成要素を接続するバス６１１
親局設備１００、子局設備２００、２２０、２４０、２５０、又は、情報端末３００の各構成要素は、これらの機能を実現するプログラム６０４をＣＰＵ６０１が取得して実行することで実現される。各構成要素の機能を実現するプログラム６０４は、例えば、予め記憶装置６０５又はＲＡＭ６０３に格納されており、必要に応じてＣＰＵ６０１が読み出す。なお、プログラム６０４は、通信ネットワーク６０９を介してＣＰＵ６０１に供給されてもよいし、予め記録媒体６０６に格納されており、ドライブ装置６０７が当該プログラムを読み出してＣＰＵ６０１に供給してもよい。
【０１０７】
親局設備１００、子局設備２００、２２０、２４０、情報端末３００の実現方法には、様々な変形例がある。例えば、親局設備１００は、各構成要素にそれぞれ別個のコンピュータ６００とプログラムとの任意の組み合わせにより実現されてもよい。また、親局設備１００が備える複数の構成要素が、一つのコンピュータ６００とプログラムとの任意の組み合わせにより実現されてもよい。
【０１０８】
また、親局設備１００、子局設備２００、２２０、２４０、２５０、情報端末３００の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。また、コンピュータ６００の代わりにＦＰＧＡ（Ｆｉｅｌｄ−Ｐｒｏｇｒａｍｍａｂｌｅ  Ｇａｔｅ  Ａｒｒａｙ）のようなプログラマブルロジックデバイスを用いてもよい。
【０１０９】
また、親局設備１００の各構成要素の一部又は全部が複数のコンピュータや回路等により実現される場合には、複数のコンピュータや回路等は、集中配置されてもよいし、分散配置されてもよい。これは、子局設備２００、２２０、２４０、２５０、情報端末３００でも同様である。例えば、コンピュータや回路等は、クライアントアンドサーバシステム、クラウドコンピューティングシステム等、各々が通信ネットワークを介して接続される形態として実現されてもよい。
【０１１０】
以上、実施形態を参照して本願発明を説明したが、本願発明は上記実施形態に限定されものではない。本願発明の構成や詳細には、本願発明のスコープ内で当業者が理解し得る様々な変更をすることができる。
【０１１１】
また、図面中の矢印の方向は、一例を示すものであり、ブロック間の信号の向きを限定するものではない。
【０１１２】
上記の実施形態の一部又は全部は、以下の付記のように記載されうるが、以下には限られない。
【０１１３】
（付記１）
複数の通報内容および前記通報内容に関連する通報関連情報を取得する親局制御装置と、前記複数の通報内容および前記通報関連情報を送信する通信部とを有する親局装置と、
前記複数の通報内容および前記通報関連情報を受信する通信部と、自局装置の属性を示す通報管理情報と前記通報関連情報とに基づいて前記通報内容に優先度を設定する子局制御装置とを有する子局装置と、を備える同報通信システム。
【０１１４】
（付記２）
前記通報関連情報は、前記通報内容に関連する地理情報を含み、前記放送管理情報は、前記子局装置の地理情報を含む、付記１に記載の同報通信システム。
【０１１５】
（付記３）
前記子局制御装置は、前記報知管理情報に含まれる前記自局装置の位置と前記報知管理情報に含まれる前記複数の通報内容に関連する位置で求まる距離に基づいて、前記通報内容に前記優先度を設定する、付記１又は２に記載の同報通信システム。
【０１１６】
（付記４）
前記子局設備は、設定された前記優先度に基づいて前記通報報知を報知する報知部を有する、付記１から３のいずれか１つに記載の同報通信システム。
【０１１７】
（付記５）
前記子局装置を複数有し、
前記子局装置の各子局制御装置は、前記報知管理情報に含まれる前記自局装置の位置情報と前記複数の通報内容に関連する位置情報とで求まる距離に基づいて、前記通報内容に前記優先度を設定する、付記１から４のいずれか１つに記載の同報通信システム。
【０１１８】
（付記６）
親局装置が、
複数の通報内容および前記通報内容に関連する通報関連情報を取得し、
前記複数の通報内容および前記通報関連情報を送信し、
子局装置が、
前記複数の通報内容および前記通報関連情報を受信し、
自局装置の属性を示す通報管理情報と前記通報関連情報とに基づいて前記通報内容に優先度を設定する、同報通信システムの制御方法。
【０１１９】
（付記７）
同報通信システムの子局装置であって、
親局装置が送信した、複数の通報内容および前記通報内容に関連する通報関連情報を受信する通信部と、自局装置の属性を示す通報管理情報と前記通報関連情報とに基づいて前記通報内容に優先度を設定する子局制御装置と、を備える子局装置。
【０１２０】
（付記８）
同報通信システムにおける子局装置の子局制御装置であって、
前記子局装置の属性を示す通報管理情報と親局装置から受信した複数の通報内容に関連する通報関連情報とに基づいて、前記通報内容に優先度を設定する子局制御装置。
【０１２１】
（付記９）
同報通信システムの親局装置であって、
複数の通報内容および前記通報内容に関連する通報関連情報を取得する親局制御装置と、
自局装置の属性を示す通報管理情報と通報関連情報とに基づいて前記通報内容に優先度を設定する子局装置に対して、前記複数の通報内容および前記通報関連情報を送信する通信部と、を備える親局装置。
【０１２２】
（付記１０）
同報通信システムにおける親局装置の親局制御装置であって、
親局制御部を備え、
前記親局制御部は、
複数の通報内容および前記通報内容に関連する通報関連情報を取得し、
自局装置の属性を示す通報管理情報と通報関連情報とに基づいて前記通報内容に優先度を設定する子局装置に対して、前記複数の通報内容および前記通報関連情報を子局装置への送信を指示する、親局制御装置。
【０１２３】
（付記１１）
同報通信システムの子局装置の制御方法であって、
親局装置が送信した、複数の通報内容および前記通報内容に関連する通報関連情報を受信し、自局装置の属性を示す通報管理情報と前記通報関連情報とに基づいて前記通報内容に優先度を設定する、子局装置の制御方法。
【０１２４】
（付記１２）
同報通信システムにおける子局装置の子局制御装置の制御方法であって、
前記子局装置の属性を示す通報管理情報と親局装置から受信した複数の通報内容に関連する通報関連情報とに基づいて親局装置から受信した前記通報内容に優先度を設定し、
設定した優先度に基づいて前記通報内容を伝達する、
子局制御装置の制御方法。
【０１２５】
（付記１３）
同報通信システムの親局装置の制御方法であって、
複数の通報内容および前記通報内容に関連する通報関連情報を取得し、
自局装置の属性を示す通報管理情報と通報関連情報とに基づいて前記通報内容に優先度を設定する子局装置に対して、前記複数の通報内容および前記通報関連情報を送信する、親局装置の制御方法。
【０１２６】
（付記１４）
同報通信システムにおける親局装置の親局制御装置の制御方法であって、
複数の通報内容および前記通報内容に関連する通報関連情報を取得し、
自局装置の属性を示す通報管理情報と通報関連情報とに基づいて前記通報内容に優先度を設定する子局装置に対して、前記複数の通報内容および前記通報関連情報を子局装置への送信を指示する、親局制御装置の制御方法。
【０１２７】
（付記１５）
同報通信システムの子局装置の制御プログラムであって、
親局装置が送信した、複数の通報内容および前記通報内容に関連する通報関連情報を受信し、自局装置の属性を示す通報管理情報と前記通報関連情報とに基づいて前記通報内容に優先度を設定する、
ことをコンピュータに実行させる制御プログラム。
【０１２８】
（付記１６）
同報通信システムにおける子局装置の子局制御装置の制御プログラムであって、
前記子局装置の属性を示す通報管理情報と親局装置から受信した複数の通報内容に関連する通報関連情報とに基づいて親局装置から受信した前記通報内容に優先度を設定し、
設定した優先度に基づいて前記通報内容を伝達する、
ことをコンピュータに実行させる制御プログラム。
子局制御装置の制御方法。
【０１２９】
（付記１７）
同報通信システムの親局装置の制御プログラムであって、
複数の通報内容および前記通報内容に関連する通報関連情報を取得し、
自局装置の属性を示す通報管理情報と通報関連情報とに基づいて前記通報内容に優先度を設定する子局装置に対して、前記複数の通報内容および前記通報関連情報を送信する、ことをコンピュータに実行させる制御プログラム。
【０１３０】
（付記１８）
同報通信システムにおける親局装置の親局制御装置の制御プログラムであって、
複数の通報内容および前記通報内容に関連する通報関連情報を取得し、
自局装置の属性を示す通報管理情報と通報関連情報とに基づいて前記通報内容に優先度を設定する子局装置に対して、前記複数の通報内容および前記通報関連情報を子局装置への送信を指示する、ことをコンピュータに実行させる制御プログラム。
【符号の説明】
【０１３１】
１０  親局装置
１１  親局制御装置
１２  通信部
１３  親局制御部
２０  子局装置
２１  子局制御装置
２２  通信部
２３  子局制御部
１００  親局設備
１０１  無線アンテナ
１０２  無線装置
１０３  操作卓
１０４  記憶部
１０５  制御部
１０６  演算部
１０７  Ｉ／Ｆ部
２００  子局設備
２０１  無線アンテナ
２０２  通信部
２０３  スピーカ
２０４  記憶部
２０５  管理部
２０６  演算部
２０７  ＧＰＳ部
２０８  ＵＩ部
２２０  子局設備
２４０  子局設備
２５０  子局設備
３００  情報端末
６００  コンピュータ
６０１  ＣＰＵ
６０２  ＲＯＭ（Ｒｅａｄ  Ｏｎｌｙ  Ｍｅｍｏｒｙ）
６０３  ＲＡＭ
６０４  プログラム
６０５  記憶装置
６０６  記録媒体
６０７  ドライブ装置
６０８  通信インターフェース
６０９  ネットワーク
６１０  入出力インターフェース
６１１  バス
【図１】
0006763130.tif 000002
【図２】
0006763130.tif 000003
【図３】
0006763130.tif 000004
【図４】
0006763130.tif 000005
【図５】
0006763130.tif 000006
【図６】
0006763130.tif 000007
【図７】
0006763130.tif 000008
【図８】
0006763130.tif 000009
【図９】
0006763130.tif 000010
【図１０】
0006763130.tif 000011
【図１１】
0006763130.tif 000012
【図１２】
0006763130.tif 000013
【図１３】
0006763130.tif 000014
【図１４】
0006763130.tif 000015
【図１５】
0006763130.tif 000016
【図１６】
0006763130.tif 000017